(57)【要約】  【課題】  クリーニング性が高く、次工程の帯電工程での安定した帯電を行う。  【解決手段】  透光性のブラシ８ｂを回転可能に配された透明なスリーブ８ａ上に配置し、該スリーブ８ａを回転させることにより前記ブラシ８ｂが感光体ドラム１面を摺擦して残留トナーを除去するとともに、スリーブ８ａ内部より透光性のブラシ８ｂの先端に導光し、この光によって感光体を除電することを特徴とする感光体ドラム１のクリーニング方法。【選択図】      図１
2006284659.tif 000002
【特許請求の範囲】
【請求項１】
透光性のブラシを回転可能に配された透明なスリーブ上に配置し、該スリーブを回転させることにより前記ブラシが感光体ドラム面を摺擦して残留トナーを除去するとともに、スリーブ内部より透光性のブラシの先端に導光し、この光によって感光体を除電することを特徴とする感光体ドラムのクリーニング方法。
【請求項２】
回転可能に配された透明なスリーブと、該スリーブ上に配置された透光性のブラシと、前記スリーブの内部から外部へと導光されるように前記スリーブに光を照射する光源とを有し、
前記スリーブを回転させることにより前記ブラシが感光体ドラム面を摺擦して残留トナーを除去するとともに、前記光源を点灯することによりスリーブ内部より透光性のブラシの先端に導光し、この光によって感光体を除電することを特徴とする感光体ドラムのクリーニング装置。
【発明の詳細な説明】
【技術分野】
【０００１】
本発明は、複写機、ファクシミリ、プリンター等の電子写真複写装置の感光体ドラムのクリーニング方法及び装置に関するものである。
【背景技術】
【０００２】
従来、電子写真複写装置等の感光体クリーニング方法としては、ブレードクリーニング法、ファーブラシクリーニング法や、上記方法の併用が知られており、回転するブラシ等のクリーニング部材で除去する際にブラシに感光体の電位の極性と逆極性の電位を印加して感光体上の残留トナーを除去する方法（特許文献１参照）や感光体の電位の同極性の電位を印加したクリーニング部材を用いて行う方法（特許文献２参照）等が行われている。
【特許文献１】特公平３―１０９５４号公報
【特許文献２】特開平５―２４１４８４号公報
【発明の開示】
【発明が解決しようとする課題】
【０００３】
しかし、ブラシに感光体の電位の極性と逆極性をブラシに印加した場合にはクリーニングの際に感光体の一部が逆極性になりその後の除電工程後にも残留してしまう。その後の帯電工程では、その残留帯電の極性とは逆極性のコロナ放電によって帯電を行うため、次の像形成の為の感光体上の帯電電位の分布は不均一になってしまう。この不均一分布のため画像濃度のムラやドット再現が乱れる等の画像品質の低下をきたす問題点があった。
【０００４】
また、感光体の電位の極性と同極性をブラシに印加した場合には感光体の電位が高くなりクリーニング後除電ランプでの除電が必要になる。光除電後帯電までの時間は感光体の帯電能に大きく関係しており次工程の帯電工程での帯電の安定が悪くなる問題がある。そして、帯電に必要な電流が多くなり有害なオゾンの発生が多くなるという問題もある。
【０００５】
本発明は、上記の問題に鑑みてなされたものであり、クリーニング性が高く、次工程の帯電工程での安定した帯電を行うことのできる感光体ドラムのクリーニング方法及び装置を目的とする。
【課題を解決するための手段】
【０００６】
上記目的を達成するために本発明の感光体ドラムのクリーニング方法は、透光性のブラシを回転可能に配された透明なスリーブ上に配置し、該スリーブを回転させることにより前記ブラシが感光体ドラム面を摺擦して残留トナーを除去するとともに、スリーブ内部より透光性のブラシの先端に導光し、この光によって感光体を除電することを特徴とする。
【０００７】
また、本発明の感光体ドラムのクリーニング装置は、回転可能に配された透明なスリーブと、該スリーブ上に配置された透光性のブラシと、前記スリーブの内部から外部へと導光されるように前記スリーブに光を照射する光源とを有し、前記スリーブを回転させることにより前記ブラシが感光体ドラム面を摺擦して残留トナーを除去するとともに、前記光源を点灯することによりスリーブ内部より透光性のブラシの先端に導光し、この光によって感光体を除電することを特徴とする。
【発明の効果】
【０００８】
本発明によると、ブラシを用いて感光体ドラム面を摺擦し残留トナーを除去しながら感光体の電位を除電することで次工程の光除電をなくすことができる。したがって、帯電までの時間を長く取れることになり、帯電能の高いところで感光体ドラムを使用することができる。また、帯電時の電流を下がることができオゾン発生低減と帯電の安定化を図ることができる。
【０００９】
また、透光性のブラシを用いてスリーブ内面から光を照射し感光体の除電を行いながら残留トナーのクリーニングを行うので反転現像時はもちろん正規現像時にもクリーニング性が高くなる。
【００１０】
さらに、クリーニング装置に外部から電圧を印加しなくても残留トナーをクリーニングが可能なので高圧電源が不要になり、コストダウンが図られる。
【発明を実施するための最良の形態】
【００１１】
以下、本発明を実施するための最良の形態について図面を参照して説明する。
【００１２】
図１は、本発明に係る電子写真複写装置の概略側面図である。
【００１３】
感光体ドラム１は時計方向に回転して帯電器２より感光体の表面を均一に正帯電される。次いで帯電面に露光装置３によって原稿画像の投光がなされ、静電潜像が形成される。静電潜像は、磁気ブラシ現像装置４によってトナーを付与されて、トナー現像される。この磁気ブラシ現像装置４には磁性体キャリアとトナーとの混合からなる現像剤が用いられ、磁性体キャリアは摩擦によって正に帯電して回転する現像スリーブ４ａ上に磁気ブラシを形成し、トナーは負に帯電して磁気ブラシに付着して運ばれて静電潜像を現像する。
【００１４】
現像されたトナー像は図示しない搬送装置によって右から左に感光体ドラム１と接触して送られる転写材５に転写される。その転写位置において、転写器６は転写材の背面にコロナ放電を行って、転写材５を正に帯電させるから、トナーは感光体の静電的引力を離れて転写材５に移行し、したがって転写が行われる。このコロナ放電が転写材５を通して感光体ドラム１上のトナーに正電荷を注入し、元来負の電荷を有していたトナーを正に帯電させて、転写後に感光体ドラム１上に残留したトナーが正負帯電したものの混在したものとなる。この傾向は、転写材５が原稿より小さかったりして、コロナ放電が感光体ドラム１面に直接行われるような部分が生ずると、益々顕著になる。
【００１５】
転写後の感光体ドラム１面にコロナ放電するクリーニング前帯電器７は、上述のように正負帯電したものの混在した状態の残留トナーを、帯電や転写工程におけるコロナ放電と同極性のコロナ放電によって、一様に正に帯電させる。
【００１６】
以上のように一様に正帯電されて一様に静電作用力を受けやすくなった残留トナーは、ブラシクリーニング装置８によって感光体ドラム１面から除去される。
【００１７】
ブラシクリーニング装置８は、図２に示すように、時計方向に回転するクリーニングスリーブ８ａ上に設けたブラシ８ｂのブラシ繊維８ｄが感光体ドラム１面を摺擦して残留トナーを除去するとともに、クリーニングスリーブ８ａの内部に配設した光源８ｃを点灯することによりこの光を上記ブラシ８ｂに透光性のブラシ繊維８ｄに導き、（主に）その先端から漏れる光によって感光体ドラム１面を除電するものである。
【００１８】
このように、透光性のブラシ繊維８ｄを用いてクリーニングスリーブ８ａの内面からの光をブラシ繊維８ｄ先端に導き感光体ドラム１面を摺擦しながら感光体を照射し除電を行い残留トナーをブラシの回転で摺擦しクリーニングを行うことで感光体には不要な帯電を生じることなく感光体の除電を行なうことができる。
【００１９】
ブラシ繊維８ｄの材料としてはナイロン樹脂やポリエステル樹脂、あるいはアクリル樹脂等の透光性の材料が適当である。
【００２０】
ここで、ブラシ８ｂの構成としては、図３に示すように、ブラシ繊維８ｄを光の反射をかねた紐状の基材８ｅにパイル織り（図３（ａ）参照）や植毛（図３（ｂ）参照）等の方法を用いてブラシを作成したものを好適に用いることができる。なお、植毛でブラシを作成する場合は、図３（ｃ）に示すように、植毛の後、樹脂製のブラシ繊維の一端（根元）を球状等に加工し抜け止め８ｄａを形成すると、抜けたブラシ繊維８ｄが感光体ドラム１面に付着して汚すことを防止できる。紐状の基材８ｅは白色にすることで内面の光を反射し有効にブラシ繊維に光を導く効果をもたせることができる。
【００２１】
そして、この紐状のブラシ８ｂを、透明なパイプ状の芯体（ガラス、透明アクリル、ポリカーボネート）であるクリーニングスリーブ８ａ上に透明性の高い接着剤８ｆ（アクリル系、エポキシ系）を用いて隙間なく巻きつけ接着することで作成することができる（図２参照）。
【００２２】
光源としては、図１及び図２に示すように、冷陰極ランプのようなそれ自体が棒状の光源８ｃであるものの他、図４に示すように、ＬＥＤ８ｊをプリント基板８ｈ上に附設し棒状の光源８ｇとして構成したものを用いることもできる。また棒状の光源を使用しない場合として、図５に示すように、クリーニングスリーブ８ａを、アクリル樹脂等で形成したパイプ状の芯体の内面に高さの異なる複数の導光突起８ｋを軸方向に一定間隔で一体形成したものとして構成し、スリーブ端部からランプ８ｍで照射しクリーニングスリーブ８ａ上に設けたブラシ（図示せず）に導光するようにしてもよい。或いは、図６に示すように、クリーニングスリーブ８ａを、パイプ状の芯体ではなく芯体自体を透明な樹脂等で作成したものとして構成し、スリーブ端部からランプ８ｍで照射しクリーニングスリーブ８ａ上に設けたブラシ（図示せず）に導光するようにしてもよい。
【００２３】
ブラシ８ｂに付着して除去されたトナーは、図１に示すように、スクレーパ８ｎによってトナー溜り８ｐに回収される。
【００２４】
以上のようにして残留トナーを除去された感光体ドラム１はさらに回転すると再び帯電器２による帯電を施されて、次の複写工程に入る。
【００２５】
本発明は例示した二成分系に限らず一成分系のものについても適用し得る。すなわち、現像剤がトナーのみから成るものであっても、残留トナーの除去についての問題は二成分系の現像剤におけると同様であるから、一成分系の現像剤を用いた場合にも本発明の方法が効果を奏し得るものであることは容易に理解される。
【産業上の利用可能性】
【００２６】
本発明は、複写機、ファクシミリ、プリンター等の電子写真複写装置に利用することができる。
【図面の簡単な説明】
【００２７】
【図１】は、本発明の一実施形態を示す電子写真複写装置の概略側面図である。
【図２】は、本発明に係るブラシクリーニング装置の一例の概略断面図である。
【図３】は、上記ブラシクリーニング装置に使用されるブラシの概略拡大断面図であり、パイル織り（ａ）、植毛（ｂ）若しくは植毛後抜け止め（ｃ）によりブラシを作成した例を示すものである。
【図４】は、上記ブラシクリーニング装置に使用される光源の他の例の概略平面図である。
【図５】は、上記ブラシクリーニング装置に使用されるクリーニングスリーブ及び光源の他の例の側断面図（ａ）及び軸断面図（ｂ）である。
【図６】は、上記ブラシクリーニング装置に使用されるクリーニングスリーブ及び光源のさらに他の例の側断面図（ａ）及び軸断面図（ｂ）である。
【符号の説明】
【００２８】
１  感光体ドラム
２  帯電器
３  露光装置
４ａ  現像スリーブ
４  磁気ブラシ現像装置
５  転写材
６  転写器
７  クリーニング前帯電器
８  ブラシクリーニング装置
８ａ  クリーニングスリーブ
８ｂ  ブラシ
８ｃ  光源
８ｄ  ブラシ繊維
８ｅ  基材
８ｆ  接着剤
８ｇ  光源
８ｈ  プリント基板
８ｋ  導光突起
８ｍ  ランプ
【図１】
2006284659.tif 000003
【図２】
2006284659.tif 000004
【図３】
2006284659.tif 000005
【図４】
2006284659.tif 000006
【図５】
2006284659.tif 000007
【図６】
2006284659.tif 000008